(57)【要約】【課題】製造コストを抑制しつつ装飾性を向上させることが出来ると共に偽造防止効果も有し、他製品への展開が可能な部品と、その部品が備えられた腕時計、宝飾品、バッグ、装身具、タグ、ファスナー等を提供する。【解決手段】部品を、少なくとも第一の部材（２）で構成し、第一の部材（２）をサファイア単結晶、ルビー単結晶、ガラス、ダイヤモンド単結晶の何れで形成する。更に、側面の少なくとも一部又は全周に亘って発光材（５）を配置して、特殊光源ライト照射時又は暗闇で発光材を発光させる。
2018155381.tif 000002
【特許請求の範囲】
【請求項１】
少なくとも第一の部材で構成され、  第一の部材が、サファイア単結晶、ルビー単結晶、ガラス、ダイヤモンド単結晶の何れかから形成されており、  側面の少なくとも一部又は全周に亘って発光材が配置されており、  特殊光源ライト照射時又は暗闇で発光材が発光する部品。
【請求項２】
前記第一の部材が板状部材で、平面形状が円形又は異形であり、  前記側面の全周に亘って溝が形成されており、その溝内部に前記発光材が配置されている請求項１記載の部品。
【請求項３】
前記第一の部材が板状部材で、平面形状が円形又は異形であり、  前記側面の全周に亘って30°毎で少なくとも計12箇所に凹部が形成されており、その凹部内部に前記発光材が配置されている請求項１記載の部品。
【請求項４】
第二の部材が更に備えられ、  第二の部材が、サファイア単結晶、ルビー単結晶、ガラス、ダイヤモンド単結晶の何れかから形成されており、  第二の部材が板状部材で、平面形状が円形又は異形であり、  第二の部材の周縁部の全周に傾斜面が形成されており、  傾斜面を非貼り合わせ面として、前記第一の部材と第二の部材が厚さ方向に重ねて貼り合わされており、  前記第一の部材と第二の部材の互いの貼り合わせ面の平面形状が同一であり、  文字、図形、記号の何れかが、前記第一の部材又は第二の部材の互いの貼り合わせ面の少なくともどちらに凹状に形成されており、  凹状の箇所に発光材が配置されており、  傾斜面の幅が、文字や図形又は記号の何れかの高さ寸法以上である請求項１〜３の何れかに記載の部品。
【請求項５】
第二の部材が更に備えられ、  第二の部材が、サファイア単結晶、ルビー単結晶、ガラス、ダイヤモンド単結晶の何れかから形成されており、  第二の部材が板状部材で平面形状が円形又は異形であり、  第二の部材の周縁部の全周に傾斜面が形成されており、  傾斜面を非貼り合わせ面として、前記第一の部材と第二の部材が厚さ方向に重ねて貼り合わされており、  前記第一の部材と第二の部材の互いの貼り合わせ面の平面形状が同一であり、  文字、図形、記号の何れかが、前記第一の部材又は第二の部材の互いの貼り合わせ面の少なくともどちらに凹状に形成されており、  凹状の箇所に発光材が配置されており、  傾斜面の幅が、文字や図形又は記号の何れかの高さ寸法以上であり、  傾斜面が全周に亘って30°毎に形成されたカット面から成り、  カット面同士が出会う稜線が、厚さ方向で前記凹部と合わせられている請求項３記載の部品。
【請求項６】
請求項１〜５の何れかの部品が備えられた、腕時計、宝飾品、バッグ、装身具、タグ、ファスナー。
【発明の詳細な説明】
【技術分野】
【０００１】  本発明は、部品及びその部品が備えられた腕時計、宝飾品、バッグ、装身具、タグ、ファスナー等に関する。
【背景技術】
【０００２】  有名ブランドの腕時計、宝飾品、バッグ、装身具と云った様々な高級商品やその関連製品に関して、模倣品による被害が年々広がっている。模倣品が企業に与える被害は大きく、例えば低価格の模倣品が出回ると真正品の販売機会の損失だけでなく、ビジネスモデルの破綻にもなりかねない。また粗悪な模倣品により悪い風評が広がると、長年に亘って育んできたブランドイメージの信用を失うことにもなりかねない。【０００３】  そこで、模倣品による被害を防ぐために、真正品と模倣品を識別する偽造防止技術が開発されており、例えば特許文献１が開示されている。【０００４】  特許文献１には、腕時計のケース部品に固着された透明プレートを有し、このプレートを通して記号情報を読み込む事が出来ると云う、記号情報の保護装置が開示されている。記号情報としては、腕時計の出所を示す製造マークや商標が挙げられており、これら記号情報を透明プレートと腕時計のケース部品との間にサンドイッチすることで、剥離不能に接着している。従って腕時計の購入者が、記号情報が真性かどうか目視で確認する事が出来るとしている。【０００５】  特許文献１記載の保護装置は偽造防止効果を有するものの、腕時計に必要な装飾性を付加する事は、何ら考慮されていなかった。【０００６】  そこで腕時計に別途、装飾性を付加する先行技術として、例えば特許文献２が挙げられる。特許文献２には、自由に発光部を発光させて、色彩性及び装飾性に優れた時計ガラスとして、２枚の透明なガラス板を上下に積層した２層構造の時計ガラスが開示されている。２枚のガラス板は透明な接着剤により貼り合わされており、これらガラス板の間には更に発光部が設けられている。この発光部は、波長350〜420ｎｍ又は254〜365ｎｍの紫外線に反応して発光するため、色彩性および装飾性に優れた時計ガラスを実現している。
【先行技術文献】
【特許文献】
【０００７】
【特許文献１】特開昭５８−０４４３８１号公報
【特許文献２】特開２００３−１８６４２９号公報
【発明の概要】
【発明が解決しようとする課題】
【０００８】  しかし特許文献２では、発光層を時計ガラスの全面に設ける構造であった。従って、発光部を時計ガラスとは別に設ける必要性があり、製造コストの高騰を招くと共に、他製品への展開の阻害要因となっていた。よって最小限の発光部の構成で、偽造防止効果を確保しながら、更に装飾性を向上させることが出来なかった。【０００９】  本発明は、上記課題に鑑みてなされたものであり、製造コストを抑制しつつ装飾性を向上させることが出来ると共に偽造防止効果も有し、他製品への展開が可能な部品と、その部品が備えられた腕時計、宝飾品、バッグ、装身具、タグ、ファスナー等の提供を目的とする。
【課題を解決するための手段】
【００１０】  前記課題は、以下の本発明により解決される。即ち、本発明の部品は、少なくとも第一の部材で構成され、第一の部材が、サファイア単結晶、ルビー単結晶、ガラス、ダイヤモンド単結晶の何れかから形成されており、側面の少なくとも一部又は全周に亘って発光材が配置されており、特殊光源ライトによる照射時又は暗闇で発光材が発光することを特徴とする。また、本発明の腕時計、宝飾品、バッグ、装身具、タグ、ファスナーは、前記各色発光の部品が備えられたことを特徴とする。【００１１】  特殊光源ライトにより発光する発光材は、RGB（Red Green Blue）三原色又はその組み合わせの発光色が選択できる。また第一の部材が無色透明なサファイア単結晶、ガラス、又はダイヤモンド単結晶の場合は、特殊光源ライト照射時に、部品は発光材の発光色の色調を呈する。【００１２】  なおルビー単結晶は、そもそも結晶素材が淡いピンク色を呈している。ピンクサファイアとも称されるこのルビー単結晶を用いる場合、特殊光源ライト照射時に、ルビー単結晶自体がピンク色を増して発光すると共に、発光材からも同時に発光する。従って、これらの発光色同士が混ざり合い、部品からの発光の一部が光学的に合成される。
【発明の効果】
【００１３】  本発明に係る部品に依れば、側面の少なくとも一部又は全周に亘って発光材が配置される事で、発光材の配置部分を最低限側面のみに抑えながら、特殊光源ライトの照射時に側面からの出射による発光を実現する事が可能となる。よって特殊光源ライトを照射しない時は無色透明な特徴の無い一部品でありながら、特殊光源ライトの照射時には、側面が発光したように観察可能となる。従って、最小限の発光材の配置又は構成でありながら、部品の装飾性を大きく向上させることができ、部品の製造コストを抑制しつつ特徴のある部品として、識別認知性と装飾性を共に向上させることが可能となる。【００１４】  また発光箇所を部品の側面のみとする事で、目視により部品を平面から一見しただけでの偽造防止対策の発光材の有無発見を、困難なものとすることが出来る。更に、発光材の発光を部品の真贋判定にも使用することにより、部品の偽造防止効果を高めることが可能となる。また発光材の種類別により、特有の各色に発光し、部品全体がその色に特徴的に輝く。【００１５】  更にこのような部品を、腕時計、宝飾品、バッグ、装身具、タグ、ファスナーに備える事により、本発明に係る部品を他製品へ展開する事が出来る。特に、タグやファスナー等に備える事で、更に他製品等にも本発明に係る部品を組み合わせて使用する事が可能となる。従って発光材の発光色により、部品を備えた製品のブランドイメージの装飾性を向上させることが可能になると共に、発光の有無を真贋判定にも使用することが可能なので、これら正規品製品の偽造防止効果も得られる。
【図面の簡単な説明】
【００１６】
【図１】本発明の実施例１に係る部品を示す平面図である。
【図２】図１の部品の側面図である。
【図３】図２に於いて、発光材が配置されていない部品の側面図である。
【図４】本発明の実施例２に係る部品を示す平面図である。
【図５】図４の部品の側面図である。
【図６】図４の部品において、傾斜面から文字が観察される状態を示す部分説明図である。
【図７】本発明の実施例３に係る部品を示す平面図である。
【図８】図７の部品の側面図である。
【図９】本発明の実施例４に係る部品を示す平面図である。
【図１０】図９の部品の側面図である。
【図１１】図９の部品において、傾斜面から文字が観察される状態を示す部分説明図である。
【発明を実施するための形態】
【００１７】  本実施の形態の第一の特徴は、少なくとも第一の部材で構成され、第一の部材が、サファイア単結晶、ルビー単結晶、ガラス、ダイヤモンド単結晶の何れかから形成されており、側面の少なくとも一部又は全周に亘って発光材が配置されており、特殊光源ライト照射時又は暗闇で発光材が発光する部品とした事である。
【００１８】  第二の特徴は、第一の部材が板状部材で、平面形状が円形又は異形であり、側面の全周に亘って溝が形成されており、その溝内部に前記発光材が配置されている部品とした事である。
【００１９】  これらの構成に依れば、側面の少なくとも一部又は全周に亘って発光材が配置される事で、発光材の配置部分を最低限側面のみに抑えながら、特殊光源ライトの照射時に側面からの出射による発光を実現する事が可能となる。よって特殊光源ライトを照射しない時は無色透明な特徴の無い一部品でありながら、特殊光源ライトの照射時には側面が発光したように観察可能となる。従って、最小限の発光材の配置又は構成でありながら部品の装飾性を向上させることができ、部品の製造コストを抑制しつつ識別認知性と装飾性を共に向上させることが可能となる。
【００２０】  また発光箇所を部品の側面とする事で、目視により部品を平面から一見しただけでの偽造防止対策の発光材の有無発見を、困難なものとすることが出来る。更に、発光材の発光を部品の真贋判定にも使用することにより、部品の偽造防止効果を高めることが可能となる。
【００２１】  なお本発明に於いて特殊光源ライトとは、紫外線領域（250ｎｍ以上〜365ｎｍ以下）の光を発光するか、赤外線領域（780ｎｍ以上）の光を発光するものとする。
【００２２】  また本発明に於いて部材の平面形状が異形とは、部品の平面形状が、正方形、長方形、楕円形、頂点３つ以上の多角形、星形の何れかの形状を指すものとする。更に頂点３つ以上の多角形には、各頂点を丸めて角丸とした平面形状も含むものとする。
【００２３】  第三の特徴は、第一の部材が板状部材で、平面形状が円形又は異形であり、側面の全周に亘って30°毎で少なくとも計12箇所に凹部が形成されており、その凹部内部に発光材が配置されている部品とした事である。
【００２４】  この構成に依れば、前記各効果に加えて、部品を腕時計の窓材として使用する事により、発光材の発光により文字盤の時字（または、アワーマーク、アワーマーカー、インデックス）の位置を使用者に容易に識別させる事が可能となる。従って、特に腕時計の装飾性と視認性の両立を図る事が出来る。
【００２５】  第四の特徴は、第二の部材が更に備えられ、第二の部材が、サファイア単結晶、ルビー単結晶、ガラス、ダイヤモンド単結晶の何れかから形成されており、第二の部材が板状部材で、平面形状が円形又は異形であり、第二の部材の周縁部の全周に傾斜面が形成されており、傾斜面を非貼り合わせ面として、第一の部材と第二の部材が厚さ方向に重ねて貼り合わされており、第一の部材と第二の部材の互いの貼り合わせ面の平面形状が同一であり、文字、図形、記号の何れかが、第一の部材又は第二の部材の互いの貼り合わせ面の少なくともどちらに凹状に形成されており、凹状の箇所に発光材が配置されており、傾斜面の幅が、文字や図形又は記号の何れかの高さ寸法以上である部品とした事である。
【００２６】  この構成に依れば、前記各効果に加えて、あらゆる角度から部品を見ても、文字や図形又は記号を目視により傾斜面から観察する事が可能となる。従って、部品の装飾性を更に向上させることが出来る。
【００２７】  なお本発明に於いて、文字又は図形又は記号としては、アルファベット、ひらがな、カタカナ、漢字、数字、漢数字、符号等のあらゆる文字や、ブランドロゴを含むものとする。また図形としては、円や三角形又は四角形といった基本的な図形や、より複雑な幾何学模様、又はブランドや製造者を示すトレードマークも含むものとする。
【００２８】  また本発明に於いて、文字や図形又は記号の何れかの高さ寸法とは、複数の文字や図形又は記号が形成されている場合、全ての文字や図形又は記号が収まる高さ寸法を指すものとする。
【００２９】  第五の特徴は、第二の部材が更に備えられ、第二の部材が、サファイア単結晶、ルビー単結晶、ガラス、ダイヤモンド単結晶の何れかから形成されており、第二の部材が板状部材で平面形状が円形又は異形であり、第二の部材の周縁部の全周に傾斜面が形成されており、傾斜面を非貼り合わせ面として、第一の部材と第二の部材が厚さ方向に重ねて貼り合わされており、第一の部材と第二の部材の互いの貼り合わせ面の平面形状が同一であり、文字、図形、記号の何れかが、第一の部材又は第二の部材の互いの貼り合わせ面の少なくともどちらに凹状に形成されており、凹状の箇所に発光材が配置されており、傾斜面の幅が、文字や図形又は記号の何れかの高さ寸法以上であり、傾斜面が全周に亘って30°毎に形成されたカット面から成り、カット面同士が出会う稜線が、厚さ方向で凹部と合わせられている部品とした事である。
【００３０】  この構成に依れば、前記各効果に加えて、部品を腕時計の窓材として使用する事により、部品を平面方向から見た時に、発光材の発光により稜線を発光したように観察可能となり、文字盤の時字の位置を使用者に更に容易に識別させる事が可能となる。従って、特に腕時計の装飾性と視認性の両立を、更に図る事が出来る。
【００３１】  第六の特徴は、前記何れかの部品が備えられた、腕時計、宝飾品、バッグ、装身具、タグ、ファスナーとした事である。
【００３２】  この構成に依れば、前記各効果に加えて、本発明に係る部品を他製品へ展開する事が出来る。特に、タグやファスナー等に備える事で、更に他製品等にも本発明に係る部品を使用する事が可能となる。従って発光材の発光により、部品を備えた製品の装飾性を向上させることが可能になると共に、発光を真贋判定にも使用することが可能なので、これら製品の偽造防止効果も得られる。
【００３３】  特殊光源ライトにより発光する発光材は、RGB三原色又はその組み合わせの発光色が選択できる。また第一又は第２の部材が無色透明なサファイア単結晶、ガラス、又はダイヤモンド単結晶の場合は、特殊光源ライト照射時に、部品は発光材の発光色の色調を呈する。
【００３４】  なお第一の部材又は第二の部材に用いるルビー単結晶は、そもそも結晶素材が淡いピンク色を呈している。ピンクサファイアとも称されるこのルビー単結晶を用いる場合、特殊光源ライト照射時に、ルビー単結晶自体がピンク色を増して発光すると共に、発光材からも同時に発光する。従って、これらの発光色同士が混ざり合い、部品からの発光の一部が光学的に合成される。
【００３５】  以下に本発明に係る各実施例を説明するが、本発明は以下の実施例にのみ限定されるものではない。
【実施例】
【００３６】（実施例１）  以下、図１〜図３を参照して、本発明の実施例１に係る部品を説明する。本実施例に係る部品１は、図１〜図３に示すように少なくとも第一の部材２のみで構成されている。図１は平面図、図２及び図３は共に側面図であり、更に部品１の第一の部材２に於ける側面2sでの発光材５の配置の構成形態が、一例として図示されている（以下、必要に応じて単に、「部材２」と記載する。）。【００３７】  図１より、部材２の外形形状は円形の板状に成形されている。部材２は、サファイア単結晶、ルビー単結晶、ダイヤモンド単結晶又はガラスの何れかで形成される。この材料を研削、研磨により円形の板状に成形する。部材２を形成する材料の透過率は、分光光度計で透過率を測定した際に、例えば400ｎｍ〜800ｎｍの波長範囲での透過率が所定値（例えば80％以上）を満足すれば良い。【００３８】  部材２を形成する各材料は、公知の方法を用いて作製すれば良い。サファイア単結晶やルビー単結晶の場合、EFG（Edge-defined Film-fed. Growth）法、キロプロス法、チョクラスルキー法、ベルヌーイ法、垂直ブリッジマン法などによって育成成長されたものを用いる。ダイヤモンド単結晶は、エピタキシャル法により形成すれば良い。【００３９】  例えばここではサファイア単結晶で部材２を形成する場合、結晶面方位として例えば表面2a-2aをｃ面とするものを用いれば良いが、ｃ面に限定されず、ｒ面、ａ面、ｍ面等、所望の結晶面を表面として良い。【００４０】  部材２の平面形状は、図１に示すような円形の丸型か、又は図示しない異形とすることも出来る。部材２の平面形状が異形とは、例えば平面形状が、正方形、長方形、楕円形、頂点３つ以上の多角形、星形の何れかの形状を指す。更に頂点３つ以上の多角形に成形する場合、各頂点を丸めて角丸が複合した平面形状に変更しても良い。【００４１】  更に図２及び図３より、部材２に於ける上面側の表面2aの外周周縁部全周に亘って、幅広の傾斜面2dが形成される。その傾斜面2dは、表面2aに対して一定の傾斜角度θで以て外周周縁部全周に幅W2dで形成される。傾斜角度θは、表面2aを基準として約20度前後に設定される。【００４２】  また、図２に示すように部材２の側面2sの少なくとも一部又は全周に亘って、発光材５が配置される。発光材５の配置箇所の一形態として、図３に示すように、側面2sの全周に亘って溝2bが形成されており、その溝2bの内部に発光材５が配置されて図２の形態となる。溝2bの形状は、矩形状、Ｖ溝状、円弧状など、所望の形状に設定可能であり、図３の溝2bの形状は、Ｖ溝が60°の開口角度で形成されていると共に、そのＶ溝の底部がＲ0.2ｍｍの円弧状に成形された形状である。【００４３】  側面2sに形成された溝2bには、発光材５が配置される。発光材５としては、紫外線領域（250ｎｍ以上〜365ｎｍ以下）、可視光領域（365ｎｍ超〜780ｎｍ未満）、または赤外線領域（780ｎｍ以上）の光を発光する蓄光体（燐光体）、蛍光体、又は発光ガラスが用いられる。蓄光体（燐光体）としては、アルミナ系酸化物の無機顔料、硫化物系顔料が挙げられ、蛍光体としては蛍光インクが挙げられる。【００４４】  このようにして形成された部品１に外部から特殊光源ライトを照射することで、発光体５を発光させる。好ましくは部���１を暗闇に置くとより発光が効果的に現れる。特殊光源ライトとしては、いわゆるブラックライトと呼ばれる波長が365ｎｍ付近または250ｎｍ〜365ｎｍの紫外線領域の光を発光する紫外線灯、または紫外線発光ダイオード（LED）や、780ｎｍ以上の赤外線領域の光を発光する赤外線発光素子で構成すれば良い。このような特殊光源ライトから出射される特定波長の光に反応して、発光材５により溝2b部分が有色発光する。或いは発光体５が蓄光体（燐光体）の場合には、暗闇に置かれると励起光の消失により、蛍光色が発光し続ける。【００４５】  溝2bは発光材５を構成する材料により、254ｎｍ〜365ｎｍの紫外線領域、365ｎｍ超〜780ｎｍ未満の可視光領域、又は780ｎｍ以上の赤外線領域と云った特定波長を有する光を発光する。【００４６】  側面2sの全周に亘って発光材５が配置される事で、部品１を図１に示すような平面方向から目視した時に、外周周縁部の外形線に沿って発光が確認可能となる。更に、発光材５の配置部分を最低限側面2sのみに抑えながら特殊光源ライトの照射時に側面2sからの出射による発光を実現する事が可能となる。よって特殊光源ライトを照射しない時は無色透明な特徴の無い一つの部品１でありながら、特殊光源ライトの照射時には側面2sが発光し、外形線に沿ってリング状の発光が、図１の平面方向から観察可能となる。従って、最小限の発光材５の配置又は構成でありながら部品１の装飾性を向上させることができ、部品１の製造コストを抑制しつつ識別認知性と装飾性を共に向上させることが可能となる。【００４７】  また発光箇所を部品１の側面2sとする事で、目視により部品１を平面から一見（図１方向からの目視）しただけでの偽造防止対策の発光材５の有無発見を、困難なものとすることが出来る。発光材５の発光を部品１の真贋判定に使用することにより、部品１の偽造防止効果を高めることが可能となる。【００４８】  特殊光源ライトにより発光する発光材５は、RGB三原色又はその組み合わせの発光色が選択できる。また部材２が無色透明なサファイア単結晶、ガラス、又はダイヤモンド単結晶の場合は、特殊光源ライト照射時に、部品１は発光材５の発光色の色調を呈する。【００４９】  なお第一の部材２にルビー単結晶を用いる場合は、そもそも結晶素材が淡いピンク色を呈している。ピンクサファイアとも称されるこのルビー単結晶を用いる場合、特殊光源ライト照射時に、ルビー単結晶自体がピンク色を増して発光すると共に、発光材５からも同時に発光する。従って、これらの発光色同士が混ざり合い、部品１からの発光の一部が光学的に合成される。【００５０】  また部材２の平面形状を異形とした場合も、同様に傾斜面2dを外周の周縁部に沿って設ければ良い。【００５１】（実施例２）  次に、図４〜図６を参照して、本発明の実施例２に係る部品を説明する。なお、前記実施例１の部品１と同一箇所には同一番号を付し、重複する説明は省略又は簡略化して記載する。【００５２】  実施例２の部品６は図４及び図５に示すように、第一の部材２と第二の部材３で構成されており、第一の部材２と第二の部材３は、互いに貼り合わされている。図４は平面図、図５は側面図である（以下、必要に応じて単に、「部材２」、「部材３」と記載する。）。【００５３��  ２つの部材２、３の平面形状は、図４に示すような円形、又は図示しない異形とする。また部材２、３の平面形状は、互いに同一形状に形成される。従って、部材２、３の互いの貼り合わせ面の平面形状は、同一に形成される。【００５４】  ２つの部材２、３の内、部材３の外周周縁部の全周に亘って、傾斜面3bが形成されている。その傾斜面3bが形成されている側の面を非貼り合わせ面として、２つの部材２、３が厚さ方向に重ねて貼り合わされて、部品６が形成される。【００５５】  部材３も、サファイア単結晶、ルビー単結晶、ダイヤモンド単結晶又はガラスの何れかで形成されており、このような材料を研削、研磨する事により成形されている。部材３を形成する材料の透過率も、分光光度計で透過率を測定した際に、例えば400ｎｍ〜800ｎｍの波長範囲での透過率が所定値（例えば80％以上）を満足すれば良い。【００５６】  例えばサファイア単結晶で各部材２、３を形成する場合、結晶面方位として例えば表面2a、3aや各貼り合わせ面をｃ面とするものを用いれば良いが、ｃ面に限定されず、ｒ面、ａ面、ｍ面等、所望の結晶面を表面として良い。【００５７】  更に、部材２の側面2sの全周に亘って30°毎で少なくとも計12箇所に凹部2cが形成されており、その凹部2c内部に図示しない前記発光材５が配置されている。なお、図４と図５では図の見易さを優先して、発光材５の図示を省略している。凹部2cは、直径0.5ｍｍ前後、部材２の径方向に於ける奥行0.15ｍｍ前後に設定可能である。【００５８】  このような部品６の構成に依れば、前記部品１が有する各効果に加えて、側面2sの少なくとも一部に発光材５が配置される事で、発光材５の配置部分を最低限側面2sのみに抑えながら、特殊光源ライトの照射時に側面2sからの出射による発光を実現する事が可能となる。よって特殊光源ライトを照射しない時は無色透明な特徴の無い一つの部品６でありながら、特殊光源ライトの照射時には側面2sが発光したように、かつ凹部2cでピンポイントの発光が観察可能となる。従って、最小限の発光材５の配置又は構成でありながら部品６の装飾性を向上させることができ、部品６の製造コストを抑制しつつ識別認知性と装飾性を共に向上させることが可能となる。【００５９】  更に部品６を腕時計の窓材として使用する事により、発光材５の発光により文字盤の時字（または、アワーマーク、アワーマーカー、インデックス）の位置を使用者に容易に識別させる事が可能となる。従って特に腕時計の装飾性と視認性の両立を図る事が出来る。【００６０】  更に、２つの部材２、３の互いの貼り合わせ面の少なくともどちらかに、文字、図形、記号の何れかが凹状に形成される。本実施例では、部材３の貼り合わせ面の面上に、アルファベットＡ〜Ｅから成る文字４が凹状に形成されている。文字又は図形又は記号としては、アルファベット、ひらがな、カタカナ、漢字、数字、漢数字、符号等のあらゆる文字や、ブランドロゴを含む。また図形としては、円や三角形又は四角形といった基本的な図形や、より複雑な幾何学模様、又はブランドや製造者を示すトレードマークも含む。【００６１】  文字４、図形、記号の凹状形成は、レーザ走査により行えば良い。なおレーザ走査に対する耐性の点から、部材２、３の材料はサファイア単結晶、ルビー単結晶、ダイヤモンド単結晶がより好ましい。また部材２、３の組み合わせとしては、無色のサファイア単結晶同士の組み合わせや、片方をピンク色を有するルビー単結晶に変える組み合わせなど、どちらでも良い。材料コストの面からサファイア単結晶同士の組み合わせの方がより安価である。なおルビー単結晶を一方の部材に用いる場合は、レーザ走査に適した材料であるルビー単結晶を上面側の部材３に用いることが好ましい。【００６２】  更に文字４等の凹状の箇所にも、前記発光材５が配置される。よって、文字４、図形、記号の何れかが発光して出射された特定波長を有する光が、部材２の表面2a及び部材３の表面3aでの反射、又は光の一部が接着剤と部材２又は３の境界面で反射を繰り返しながら、傾斜面3bから出射される。なお表面2a、傾斜面3b、及び表面3aには、表面粗さRaが0.1μｍ以下となるように鏡面研磨を施す。Raの測定は表面粗さ測定機により行えば良い。従って、傾斜面3bからの光の出射により、文字４、図形、記号の何れかが図６に示すように傾斜面3bから目視により観察される。【００６３】  図３より傾斜面3bの幅W3bは、文字４（又は図形や記号の何れか）の高さ寸法T4以上に設定されている。また、傾斜面3bの傾斜角度θは、部材３の表面3aを基準として約20度前後に設定される。以上の設定により、部品６を斜めから見た時に、傾斜面3bから文字４（又は図形や記号の何れか）を図６に示すように目視により観察する事が可能となり、装飾性を向上させることが可能となる。なお高さ寸法T4とは、複数の文字や図形又は記号が形成されている場合、全ての文字や図形又は記号が収まる高さ寸法を指すものとする。【００６４】  更に、部材２の周縁部の全周に、傾斜面3bが形成される事により、あらゆる角度から部品６を見ても、文字４や図形又は記号を目視により傾斜面3bから観察する事が可能となる。従って、部品６の装飾性を更に向上させることが出来る。【００６５】  部材２と３は接着剤により、互いの外形が一致するように厚さ方向に重ね合わせて、貼り合わされている。接着剤は、部材２、３を重ね合わせた状態で固定できれば材料は限定されず、例えば紫外線硬化樹脂を用いることができる。また、部材２、３を重ね合わせた状態で、水に近い粘度（20℃で20cps）の接着剤を、毛細管現象を利用して部材２、３の間に行き渡らせて、貼り合わせても良い。接着剤の透過率は、分光光度計で透過率を測定した際に、例えば400ｎｍ〜800ｎｍの波長範囲での透過率が所定値（例えば80％以上）を満足すれば良い。なお貼り合わせの際は、貼り合わせ面への異物や気泡の混入が無いように留意する。【００６６】  更に、部品６を同一材料の部材２、３で構成することにより、熱膨張係数や格子定数などの物性を同一にすることができ、部品６における撓みや反りの発生を抑制することが可能となる。【００６７】  なお文字４（または図形、記号）は、部材２の貼り合わせ面上に、凹状に形成しても良い。【００６８】  また、２つの部材２と３は必ずしも同一な平面形状を有していなくても良く、互いの形状が異なっていても良い。【００６９】  部材３の平面形状を異形とした場合も、同様に傾斜面3bを外周の周縁部に沿って設ければ良い。【００７０】（実施例３）  次に、���７及び図８を参照して、本発明の実施例３に係る部品を説明する。なお、前記実施例１の部品１又は実施例２の部品６と同一箇所には同一番号を付し、重複する説明は省略又は簡略化して記載する。【００７１】  実施例３の部品７は１つの部材２で構成される共に、部材２の外周周縁部の全周に亘って形成されている傾斜面2dが、全周に亘って30°毎に形成されたカット面2eから成る点である。更に、カット面2e同士が出会う稜線2fが、部品７の厚さ方向で凹部2cと合わせられている点である。その傾斜面2dは、表面2aに対して一定の傾斜角度θで以て外周周縁部全周に幅W2dで形成される。【００７２】  このような部品７の構成に依れば、前記部品１又は部品６が有する各効果に加えて、部品７を腕時計の窓材として使用する事により、部品７を平面方向（図７の方向）から見た時に、発光材５の発光により稜線3dが発光したように観察可能となり、文字盤の時字の位置を使用者に更に容易に識別させる事が可能となる。従って、特に腕時計の装飾性と視認性の両立を、更に図る事が出来る。【００７３】（実施例４）  次に、図９〜図１１を参照して、本発明の実施例４に係る部品を説明する。なお、前記部品１、６、７と同一箇所には同一番号を付し、重複する説明は省略又は簡略化して記載する。【００７４】  実施例４の部品８は図９及び図１０に示すように、部材２と部材３で構成されており、部材２と部材３は互いに貼り合わされている。図９は平面図、図１０は側面図である。【００７５】  部品８では、部材３の外周周縁部の全周に亘って形成されている傾斜面3bが、全周に亘って30°毎に形成されたカット面3cから成る。更に、部材２の側面2sの全周に亘って、15°毎で計24箇所に凹部2cが形成されている。また、カット面3c同士が出会う稜線3dが、部品８の厚さ方向で凹部2cと合わせられている。【００７６】  その傾斜面3bは、表面3aに対して一定の傾斜角度θで以て外周周縁部全周に幅W3bで形成されている。幅W3bは、文字４（又は図形や記号の何れか）の高さ寸法T4以上に設定されている。【００７７】  更に凹部2c内部には、図示しない前記発光材５が配置されている。なお、図９と図１０では図の見易さを優先して、発光材５の図示を省略している。【００７８】  このような部品８の構成に依れば、前記部品１、６、７が有する各効果に加えて、特殊光源ライトの照射時に側面2sが発光したように、かつ凹部2cでピンポイントの発光が観察可能となり、部品８の製造コストを抑制しつつ識別認知性と装飾性を共に向上させることが可能となる。【００７９】  部材３は、サファイア単結晶、ルビー単結晶、ダイヤモンド単結晶又はガラスの何れかで形成される。更に、２つの部材２、３の互いの貼り合わせ面の少なくともどちらかに、文字、図形、記号の何れかが凹状に形成される。本実施例では、部材３の貼り合わせ面の面上に、アルファベットＡ〜Ｅから成る文字４が凹状に形成されている。【００８０】  文字４等の凹状の箇所にも、前記発光材５が配置される。よって、文字４、図形、記号の何れかが発光して出射された特定波長を有する光が、部材２の表面2a及び部材３の表面3aでの反射、又は光の一部が接着剤と部材２又は３の境界面で反射を繰り返しながら、傾斜面3bから出射され、図１１に示すように目視に��り観察される。【００８１】  以上の部品１、６、７、８を腕時計や宝飾品、バッグ、装身具（リング、ネックレス、イヤリング、ブレスレット等）、タグ、又はファスナーに備える事で、部品１、６、７、８を他製品へ展開する事が出来る。特に、タグやファスナー等に備える事で、更に他製品等にも本発明に係る部品１、６、７、８を使用する事が可能となる。従って発光材５の発光により、部品１、６、７、８を備えた製品の装飾性を向上させることが可能になると共に、発光を真贋判定にも使用することが可能なので、これら製品の偽造防止効果も得られる。【００８２】  部品１、６、７、８を一例として、腕時計の文字盤を保護するカバー部品として用いる場合、部品１、６、７、８の外形寸法としては、高さ2.2ｍｍ前後、直径30ｍｍ前後〜約33ｍｍ程度、部材２、３のそれぞれの厚さを１ｍｍ前後〜２ｍｍ程度、幅W2d、W3bを2.5ｍｍ程度に設定すれば良い。もちろん、部品１、６、７、８を備える腕時計、宝飾品、バッグ、装身具、タグ、ファスナーの仕様に応じて、寸法は種々設定可能である。【００８３】  なお、上記各実施例１〜４はその技術的思想により種々変更可能であり、例えば部品６は少なくとも部材２のみで形成可能である。また、文字４（または図形、記号）の形成は任意であり、形成しなくても良い。【００８４】  また部材２の外形形状は板状部材に限定されず、例えばリング形状でも良い。その場合、リングの内周側面に、前記溝2bや凹部2cを形成して発光材５を配置しても良い。【００８５】  または、部材２又は３の貼り合わせ面のどちらか一方の周縁面上に、発光材５を配置するか発光材のリング部材を配置しても良い。【００８６】  更に、部品１に部材３を備えると共に、その部材３の外周周縁部に図４のような傾斜面3bを形成すると共に、傾斜面2dを有さない円形平板に部材２を変更しても良い。また、部品７に部材３を備えると共に、その部材３の外周周縁部に図９のような傾斜面3bを形成すると共に、傾斜面3bを有さない円形平板に部材２を変更しても良い。
【符号の説明】
【００８７】      １、６、７、８      部品      ２      第一の部材      2a      第一の部材の表面      2b      溝      2c      凹部      2d      傾斜面      2e      カット面      2f      稜線      W2d     傾斜面の幅      2s      第一の部材の側面      ３      第二の部材      3a      第二の部材の表面      3b      傾斜面      3c      カット面      3d      稜線      W3b     傾斜面の幅      ４      文字      T4      文字の高さ      ５      発光材      θ      傾斜面の傾斜角度
【図１】
2018155381.tif 000003
【図２】
2018155381.tif 000004
【図３】
2018155381.tif 000005
【図４】
2018155381.tif 000006
【図５】
2018155381.tif 000007
【図６】
2018155381.tif 000008
【図７】
2018155381.tif 000009
【図８】
2018155381.tif 000010
【図９】
2018155381.tif 000011
【図１０】
2018155381.tif 000012
【図１１】
2018155381.tif 000013
【国際調査報告】
2018155381.tif 000014
2018155381.tif 000015
2018155381.tif 000016
2018155381.tif 000017